(57)【要約】【課題】容易にデザインを変更でき、かつ２種類のアクセサリを一体化したアクセサリを提供する。【解決手段】吊り具８にフレーム２を懸架して成り、フレーム２がそのフレーム２中心部に貫通する穴部（展示枠）３を備え、指輪（展示品）４を穴部３に嵌合し、指輪４の半対面に留め具５，６を着脱自在に備え、留め具５，６により指輪４を穴部３に取替え自在に固定保持するものである。【選択図】図３
2007050239.tif 000002
【特許請求の範囲】
【請求項１】
吊り具にフレームを懸架して成るアクセサリにおいて、
前記フレームが該フレーム中心部に展示枠を備え、
展示品を前記展示枠に嵌合し、前記展示品の半対面に留め具を着脱自在に備え、
前記留め具により前記展示品を前記展示枠に取替え自在に固定保持することを特徴とする、アクセサリ。
【請求項２】
前記展示枠が貫通する穴部であることを特徴とする、請求項１に記載のアクセサリ。
【請求項３】
前記フレームの片面に薄膜シート状の鉄材を備えることを特徴とする、請求項１に記載のアクセサリ。
【請求項４】
前記フレームの片面と前記留め具とが磁着作用により前記展示品を前記展示枠に固定保持することができることを特徴とする、請求項１に記載のアクセサリ。
【請求項５】
前記留め具を継合する部材を用いて前記展示品を固定することを特徴とする、請求項１に記載のアクセサリ。
【請求項６】
前記展示品が指輪であることを特徴とする、請求項１に記載のアクセサリ。
【請求項７】
前記フレームが、少なくとも２の材質を交互に積層して成る多層構造であることを特徴とする、請求項１に記載のアクセサリ。
【請求項８】
前記フレームの材質は、皮および鉛であるとともに、前記積層した最上層および最下層は前記皮であることを特徴とする、請求項１および７に記載のアクセサリ。
【請求項９】
前記留め具は、低反発材から成ることを特徴とする、請求項１、７、８に記載のアクセサリ。
【請求項１０】
前記留め具の外周面に貴金属の箔を覆設することを特徴とする、請求項１、７、８、９に記載のアクセサリ。
【発明の詳細な説明】
【技術分野】
【０００１】
本発明は、吊り具にフレームを懸架して成るアクセサリに関する。
【背景技術】
【０００２】
従来のアクセサリなどとして用いられているものにペンダントや指輪などがある。ペンダントは例えば、金属性などのフレーム上に模様を彫刻したり、フレーム上層に宝石類の底部を接着固定させるなどした美術性、芸術性を有するフレームに、首などにかける吊り具（チェーン）を通す構成のものがある。一方、指輪は例えば指輪外周上端部に支持した台座に宝石類を固定する構成のものがある。
【発明の開示】
【発明が解決しようとする課題】
【０００３】
しかし、このようなペンダントでは、フレーム上のデザインを変えてペンダントを使用したいときには、別のデザインを有するフレームをその都度吊り具に付け替えなければならず、特にフレーム上の宝石類などが固定されているペンダントでは、自由にその種類を変更することができないという問題があった。また、同じアクセサリとして用いられている指輪はペンダントとは身に付ける部位が異なるため、それらは互いに共通性のないものであり、アクセサリとして共用できないという問題があった。
そこでこの発明の目的は、容易にデザインを変更でき、かつ２種類のアクセサリを一体化したアクセサリを提供することにある。
【課題を解決するための手段】
【０００４】
このため請求項１に記載の発明は、吊り具にフレームを懸架して成るアクセサリにおいて、前記フレームが該フレーム中心部に展示枠を備え、展示品を前記展示枠に嵌合し、前記展示品の半対面に留め具を着脱自在に備え、前記留め具により前記展示品を前記展示枠に取替え自在に固定保持することを特徴とする。
【０００５】
請求項２に記載の発明は、請求項１に記載のアクセサリにおいて、前記展示枠が貫通する穴部であることを特徴とする。
【０００６】
請求項３に記載の発明は、請求項１に記載のアクセサリにおいて、前記フレームの片面に薄膜シート状の鉄材を備えることを特徴とする。
【０００７】
請求項４に記載の発明は、請求項１に記載のアクセサリにおいて、前記フレームの片面と前記留め具とが磁着作用により前記展示品を前記展示枠に固定保持することを特徴とする。
【０００８】
請求項５に記載の発明は、請求項１に記載のアクセサリにおいて、前記留め具を継合する部材を用いて前記展示品を固定することを特徴とする。
【０００９】
請求項６に記載の発明は、請求項１に記載のアクセサリにおいて、前記展示品が指輪であることを特徴とする。
【００１０】
請求項７に記載の発明は、請求項１に記載のアクセサリにおいて、前記フレームが、少なくとも２の材質を交互に積層して成る多層構造であることを特徴とする。
【００１１】
請求項８に記載の発明は、請求項１および７に記載のアクセサリにおいて、前記フレームの材質は、皮および鉛であるとともに、前記積層した最上層および最下層は前記皮であることを特徴とする。
【００１２】
請求項９に記載の発明は、請求項１、７、８に記載のアクセサリにおいて、前記留め具は、低反発材から成ることを特徴とする。
【００１３】
請求項１０に記載の発明は、請求項１、７、８、９に記載のアクセサリにおいて、前記留め具の外周面に貴金属の箔を覆設することを特徴とする。
【発明の効果】
【００１４】
請求項１に記載の発明によれば、吊り具にフレームを懸架して成るアクセサリにおいて、フレームがそのフレーム中心部に展示枠を備え、展示品を展示枠に嵌合し、展示品の半対面に留め具を着脱自在に備え、留め具により展示品を展示枠に取替え自在に固定保持するので、ペンダントの展示枠に指輪を着脱かつ取替え自在に展示することができる。従って、容易にデザインを変更でき、２種類のアクセサリを一体化したアクセサリを提供することができる。
【００１５】
請求項２に記載の発明によれば、展示枠が貫通する穴部であるので、展示枠に指輪を嵌合させ固定保持することができ、２種類のアクセサリを一体化したアクセサリを提供することができる。
【００１６】
請求項３に記載の発明によれば、フレームの片面に薄膜シート状の鉄材を備えるので、留め具との磁着作用により指輪のリング部を着脱かつ取替え自在に固定保持することができる。従って、容易にデザインを変更でき、２種類のアクセサリを一体化したアクセサリを提供することができる。
【００１７】
請求項４に記載の発明によれば、フレームの片面と留め具とが磁着作用により展示品を展示枠に固定保持するので、指輪のリング部を着脱かつ取替え自在に固定保持することができる。従って、容易にデザインを変更でき、２種類のアクセサリを一体化したアクセサリを提供することができる。
【００１８】
請求項５に記載の発明によれば、留め具を継合する部材を用いて展示品を固定するので、留め具の磁着作用をより強化することにより指輪のリング部を確実に固定保持することができ、２種類のアクセサリを一体化したアクセサリを提供することができる。
【００１９】
請求項６に記載の発明によれば、展示品が指輪であるので、指輪とペンダントにおける２種類のアクセサリを一体化したアクセサリを提供することができる。
【００２０】
請求項７に記載の発明によれば、フレームが、少なくとも２の材質を交互に積層して成る多層構造であるので、材質によりフレームが可塑性を有し、ユーザーが好みの形状にし得るアクセサリを提供することができる。
【００２１】
請求項８に記載の発明によれば、フレームの材質は、皮および鉛であるとともに、積層した最上層および最下層は皮であるので、フレームが可塑性を有するとともに、外観が意匠性をともなう上質感を有するアクセサリを提供することができる。
【００２２】
請求項９に記載の発明によれば、留め具は、低反発材から成るので、指輪のリング部を傷つけることなく、容易に指輪のリング部をフレームに取替え自在に着脱固定することができる。
【００２３】
請求項１０に記載の発明によれば、留め具の外周面に貴金属の箔を覆設するので、留め具の外観も意匠性を伴い上質感を有するアクセサリを提供することができる。
【発明を実施するための最良の形態】
【００２４】
以下、図面を参照しつつ、この発明を実施するための最良の形態について詳述する。
図１は本発明の吊り下げ型アクセサリの一例としてペンダントの構成を示す正面図、図２は図１の側面図に示す。
この例のペンダント１は、フレーム２の中央部に貫通する長方形状の穴部（展示枠）３を設ける。穴部３内には指輪（展示品）４を備え、フレーム裏面１１より指輪４のリング部４ｃは留め具５，６で固定保持される。また、フレーム２の上部には貫通孔７を設ける。この貫通孔７に通した金属製などのチェーン８を首などにかけ、ペンダント１を装飾具などとして使用する。
【００２５】
フレーム２は、例えば陶器などの材質から成る円盤型などの形状を有し、穴部３には長方形などの形状をした正面視縦長などの穴を設ける。この穴部３の長方形状の長辺および短辺の長さは、嵌合させる指輪４のサイズ（リング部４ｃの直径など）に対応して、予め設定した所定の長さのサイズ（Ｓ，Ｍ，Ｌサイズなど）を設ける。
【００２６】
フレーム表面１０において、指輪４の宝石部（宝石、真珠など）４ａを固定させる円形などの台座４ｂが、その幅よりも短い短辺を持つ長方形状の穴部３の両長辺に接触するため、台座４ｂがフレーム表面１０で固定される。またフレーム表面１０には、光沢性に優れる金属、例えば、パラジウム、金、銀などを薄膜形成してもよい。
【００２７】
図３は、図１におけるペンダント１の背面図である。フレーム裏面１１には、穴部３の周囲に鉄材から成る薄膜シート９を設ける。この薄膜シート９の裏面は、エポキシ樹脂系などの接着剤を用いてフレーム裏面１１上に貼りつけられる。
【００２８】
ここで、例えばネオジウムマグネットなどの材質から成り、その表面にニッケルメッキなどを施した馬蹄型などの形状を有する留め具５，６を用い、フレーム裏面１１における穴部３から突起した指輪４のリング部４ｃの上部を留め具５が正面視上開き略Ｕ字、リング部４ｃの下部を留め具６が正面視下開き略Ｕ字で、薄膜シート９に対する磁着作用により、リング部４ｃを磁着固定させ、その結果、指輪４をフレーム２に固定保持させる。
【００２９】
そして、指輪４を他の指輪に交換してペンダント１のデザインなどを変更したい場合は、薄膜シート９に磁着させている留め具５，６を取り外し、指輪４をフレーム２の穴部３から取り外して、他の指輪を前述同様にフレーム２の穴部３にセットした後、留め具５，６によって固定保持させる。このように、ペンダント１のフレーム裏面１１に設けた薄膜シート９と、留め具５，６との磁着作用により指輪を着脱自在に固定保持かつ取り替えることができる。
【００３０】
以上詳述したように、この例のペンダント１は、吊り具８にフレーム２を懸架して成り、フレーム２がそのフレーム２中心部に貫通する穴部（展示枠）３を備え、指輪（展示品）４を穴部３に嵌合し、指輪４の半対面に留め具５，６を着脱自在に備え、留め具５，６により指輪４を穴部３に取替え自在に固定保持するものである。加えて、フレーム２の片面には薄膜シート９状の鉄材を備えるとともに、フレーム２の片面と留め具５，６とが磁着作用を有する。
【００３１】
なお、フレーム２は、陶器などの材質の他に、錫、プラチナ、金、銀、銅などの金属やプラスチック樹脂などを用いてもよい。また、フレーム２の形状は円盤型に限定されるものではなく、長方形状、正方形状、菱型やハート型などを用いてもよい。そして、穴部３の形状は、正面視縦長の長方形状に限定されず、正面視横長の長方形状や楕円形状など指輪４を嵌合できる形状であればよい。その場合例えば、リング部４ｃの留め具５，６による磁着位置は、リング部４ｃを垂直方向上下から磁着させることに限らず、水平方向左右などの位置から磁着させてもよい。
【００３２】
留め具５，６の形状は馬蹄形に限るものではなく、正面視略Ｖ字など指輪４を固定保持できる形状であればよい。また、留め具５，６は２個を同時に使用することに限らず、例えば１個の長方形状または半円筒形状などを用いてもよく、留め具の数や形状を限定しない。
【００３３】
ペンダント１は、チェーン８により貫通孔７で吊り下げられることに限られず、フレーム裏面１１の上部両端に設けられた不図示のフレーム裏面１１への部分埋め込み式固定輪を利用してチェーン８で吊り下げてもよい。
【００３４】
さらに、ペンダント１を色彩やデザインなどを施した収納ケース（装飾額）に収納させて使用してもよい。その場合、例えばアクリル樹脂などの材質から成り、指輪４を嵌合させたペンダント１を収納できる程度の奥行き幅を持つ長方形状や正方形状など不図示の収納ケースの片面に、上記と同じように薄膜シート状の鉄材をエポキシ樹脂系などの接着剤を用いて貼りつけることで、ペンダント１のフレーム裏面１１に有する留め具５，６の磁着作用により外側の収納ケースと内側の指輪４を嵌合させたペンダント１が固定保持される。なお、収納ケースの形状は長方形状や正方形状に限られず、ペンダント１が収納できる形状であればよい。
【００３５】
図４は、図３と同じくペンダント１の背面図であり、留め具５，６を用いてリング部４ｃを固定保持させる別の例を示す。この場合、留め具５，６を結束させるような材料として、留め具５，６と同じ材質（ネオジウムマグネット）から成り、表面にニッケルメッキなどを施した円筒状の結束リング１２を用いる。この結束リング１２の大きさは、リング部４ｃの直系内に入るサイズであり、幅は穴部３の幅よりも大きく形成されているので、結束リング１２が穴部３を通過してしまうことはない。
【００３６】
そして、結束リング１２を穴部３中央部のリング部４ｃ内に薄膜シート９に対して磁着させ、この結束リング１２の円筒内で留め具５，６のそれぞれ片方の端部を継合させて薄膜シート９に対して磁着させることにより、確実に指輪４をフレーム２に固定させることができる。この結束リング１２を介して留め具５，６を継合させる磁着位置を自在に変えることで、留め具５，６，と結束リング１２による自由な文字や形を形成させることができ、フレーム裏面１１のデザインを創作することができる。
【００３７】
以上詳述したように、この例のペンダント１は、吊り具８にフレーム２を懸架して成り、フレーム２がそのフレーム２中心部に貫通する穴部（展示枠）３を備え、指輪（展示品）４を穴部３に嵌合し、指輪４の反対面に留め具５，６を着脱自在に備え、留め具５，６により指輪４を穴部３に取替え自在に固定保持するものである。加えて、留め具５，６を継合させる結束リング（部材）１２を備える。
【００３８】
なお、結束リング１２の形状は円筒形に限られず、半円筒形や中空の長方形など留め具５，６を結束させる形状であればよい。
【００３９】
フレームは、複数の材質を積層させた構造にしてもよい。図５は、フレームの積層構造を示す断面側面図、図６は積層構造から成るフレームの背面模式図を示す。この場合、フレーム２１は、図５に示すように中央の、フレーム２１が可塑性を有するように設けられた鉛層２２を挟むようにして、この鉛層２２の上面（フレーム表面）と下面（フレーム裏面）とに鉛層２２と皮層２３とが接着剤などで着設される三層構造（ａ）、もしくは最上層（フレーム表面）および最下層（フレーム裏面）が皮層２３となるように皮層２３と鉛層２２とを交互に接着剤などで着設させた五層構造（ｂ）などにしてもよい。なお、フレーム２１を構成する鉛層２２および皮層２３それぞれの略中央近傍には、上述した図１〜３と同様に、例えば平面視長方形状など貫通した指輪４の台座４ｂを貫通させない穴部３´（展示枠）が設けられる。
【００４０】
また、皮層２３は、上質感を有する動物皮を用いることが好ましいが、合成皮やプラスチック部材などを用いてもよい。また、鉛層２２と皮層２３とはそれぞれアクセサリに適した同じ大きさおよび平面視円形や四角形など同じ形状を有するものであり、接着剤は、シアノアクリル系やエポキシ系など金属と皮とを接着できるものであればよい。さらに、鉛層２２や皮層２３の厚さは、例えばそれぞれ０．１ｍｍ〜０．５ｍｍ程度のアクセサリに適した厚みであればよい。
【００４１】
そして、穴部３´に嵌合してフレーム裏面２４から突出させた指輪４のリング部４ｃ内側とフレーム裏面２４との間には、例えば円柱状や、半円柱状、ハート型、花型、動物型などの形状を有する留め具２６が嵌入され、指輪４が固定保持される。なお、留め具２６は上述した形状に限定されず、指輪４を固定保持できる形状であればよい。また、留め具２６は、中央近傍にリング部４ｃを挟持させるための貫通穴を設け、合成ゴム系などの接着剤などによりフレーム裏面２４の穴部３´上に着設させてもよい。
【００４２】
この留め具２６は、リング部４ｃを傷つけることなくリング部４ｃを固定保持するためにウレタンなどの低反発性素材から成るものが好ましいが、不織布や、ポリウレタンなどから成るスポンジ、または、蚕の繭や綿などの天然素材であってもよい。そして、留め具２６の外周面には、意匠性を向上させるための貴金属であるプラチナ箔２７が覆設される。なお、留め具２６の外周面はプラチナ箔２７に限定されず、金箔や銀箔などを覆設してもよい。なお、留め具２６の外周面は、例えば、留め具２６の外周面に縫合などにより覆設させた部材に貴金属箔を接着剤などで着設する方法や、パウダー状の貴金属を留め具２６の外周面に塗布する方法、さらには天然素材による染色など、留め具２６の外周面に貴金属箔を覆設できればよい。
【００４３】
さらに、図６に示すようにフレーム裏面２４の最下層である皮層２３と、この皮層２３に接する鉛層２２との間であって、フレーム裏面２４の外端枠に沿ってゴムひもなどの吊り具支持部材２８が挟入され、かつ最下層の皮層２３の左右両側部におけるそれぞれ上部と下部とに設けた穴２９より吊り具支持部材２８の一部を突出させて備えられる。なお、吊り具支持部材２８はフレーム裏面２４の左右両側部の最下層の皮層２３に接着または縫合させて設けてもよい。
【００４４】
ここで、フレーム２１に指輪４などを嵌合させて、ペンダント１´とする場合は、フレーム裏面２４において、穴部３´に嵌合してフレーム裏面２４から突出させた指輪４のリング部４ｃ内側とフレーム裏面２４との間に嵌入し、フレーム２１に指輪４を固定保持させた留め具２６と、リング部４ｃ内側との間と、フレーム裏面２４における左右両側部の吊り具支持部材２８とフレーム裏面２４との間とに貫通させたチェーン８を首などにかけ、ペンダント１を装飾具などとして使用する。このときフレーム２１が可塑性を有する鉛層２２から構成されるため、ユーザーがフレーム２１を容易に好みの形状にすることができる。なお、フレーム２１の上部にも上記同様に穴２９´から突出させた吊り具支持部材２８´を設け、吊り具支持部材２８およびリング部４ｃに貫通させた上記チェーン８をさらにこの吊り具支持部材２８´に貫通させてもよい。なお、チェーン８は、金属のほかマグネットを有する紐などを用いてもよい。
【００４５】
そして、指輪４を他の指輪に交換してペンダント１のデザインなどを変更したい場合は、チェーン８および留め具２６を取り外し、指輪４をフレーム２１の穴部３´から取り外して、他の指輪を前述同様にフレーム２１の穴部３´に留め具２６でセットした後、指輪４のリング部４ｃと留め具２６との間と、フレーム裏面２４における左右両側部の吊り具支持部材２８や２８´とフレーム裏面２４との間とにチェーン８を貫通させる。
【００４６】
以上詳述したように、この例のペンダント１´は、チェーン（吊り具）８にフレーム２１を懸架して成り、フレーム２１がそのフレーム２１中心部に貫通する穴部３´（展示枠）３を備え、指輪（展示品）４を穴部３´に嵌合し、指輪４の反対面に留め具２６を着脱自在に備え、留め具２６により指輪４を穴部３´に取替え自在に固定保持するものである。加えて、フレーム２１の材質は、皮層２３（皮）および鉛層２２（鉛）であるとともに、積層した最上層および最下層は皮層２３であり、留め具２６は低反発材から成るとともに、外周面にプラチナ箔２７（貴金属）を覆設する。
【００４７】
また、上述の例では装飾具の一例としてペンダントについて説明したが、この発明はこれに限定されるものではなく、ブローチなどにも適用することができる。
【図面の簡単な説明】
【００４８】
【図１】本発明の吊り下げ型アクセサリの一例としてのペンダントを示す正面図である。
【図２】図１に示すペンダントの側面図である。
【図３】図１に示すペンダントの背面図である。
【図４】留め具の別の例を示す、図１に示すペンダントの背面図である。
【図５】フレームの積層構造を示す三層構造（ａ）および五層構造（ｂ）の断面側面図である。
【図６】積層構造から成るフレームの背面模式図である。
【符号の説明】
【００４９】
１，１´    ペンダント（アクセサリ）
２，２１    フレーム
３，３´    穴部（展示枠）
４    指輪（展示品）
４ａ    宝石部
４ｂ    台座
４ｃ    リング部
５，６，２６    留め具
７    貫通孔
８    チェーン（吊り具）
９    薄膜シート
１０    フレーム表面
１１，２４    フレーム裏面
１２    結束リング
２２    鉛層
２３    皮層
２７    プラチナ箔
２８，２８´    吊り具支持部材
２９    穴
【図１】
2007050239.tif 000003
【図２】
2007050239.tif 000004
【図３】
2007050239.tif 000005
【図４】
2007050239.tif 000006
【図５】
2007050239.tif 000007
【図６】
2007050239.tif 000008